(57)【特許請求の範囲】
【請求項１】
第１波長光を照射した状態でのユーザが装着するメガネのレンズ部分の輝度である第１輝度を測定する第１測定部と、
第２波長光を照射した状態での前記ユーザが装着するメガネのレンズ部分の輝度である第２輝度を測定する第２測定部と、
前記第２輝度に対する前記第１輝度の比に基づいて、前記メガネの第１波長光低減性能値を決定する第１決定部と、
前記決定した前記メガネの第１波長光低減性能値を用いて、第１波長光低減制御値を決定する第２決定部と、
前記第１波長光低減制御値に応じて、表示部からの出力光に含まれる前記第１波長光を低減させる表示制御部と
を備えることを特徴とする、表示制御装置。
【請求項２】
前記第２決定部が、所定の目標第１波長光低減性能から前記メガネの第１波長光低減性能値を減算することで、前記第１波長光低減制御値を算出することを特徴とする、請求項１に記載の表示制御装置。
【請求項３】
前記表示部を第１波長色で発光させることで、前記第１波長光を前記ユーザに照射することを特徴とする、請求項１または２に記載の表示制御装置。
【請求項４】
前記表示部を第２波長色で発光させることで、前記第２波長光を前記ユーザに照射することを特徴とする、請求項１〜３のいずれか１項に記載の表示制御装置。
【請求項５】
コンピュータに、
第１波長光を照射した状態でのユーザが装着するメガネのレンズ部分の輝度である第１輝度を測定し、
第２波長光を照射した状態での前記ユーザが装着するメガネのレンズ部分の輝度である第２輝度を測定し、
前記第２輝度に対する前記第１輝度の比に基づいて、前記メガネの第１波長光低減性能値を決定し、
前記決定した前記メガネの第１波長光低減性能値を用いて、第１波長光低減制御値を決定し、
前記第１波長光低減制御値に応じて、表示部からの出力光に含まれる前記第１波長光を低減させる
処理を実行させるための表示制御プログラム。
【発明の詳細な説明】
【技術分野】
【０００１】
本発明は、表示制御装置および表示制御プログラムに関する。
【背景技術】
【０００２】
ディスプレイから発する青色成分（波長が例えば380〜500nm）の可視光線がブルーライトと呼ばれている。ブルーライトは、ブラウン管や蛍光灯等の灯りよりも、ＬＥＤ（Light Emitting Diode）ディスプレイやＬＥＤ照明等の灯りに多く含まれている。
【０００３】
ブルーライトは、眼精疲労や睡眠障害などの一因といわれており、また、医療分野の専門家等などにより、ブルーライトの人体への影響の医学的な調査、検証も実施されている。なお、どの程度の強さのブルーライトで、どのような影響が、どの程度有るのかについては、明らかになっていない。
【０００４】
近年において、ＰＣ（Personal Computer）や携帯電話機のディスプレイは、ＬＥＤバックライト化が進み、ブルーライトの影響を心配するユーザも多い。
【０００５】
そこで、ブルーライトのカット（以下、ブルーライトカットもしくはＢＬＣ（Blue Light Cut）という場合がある）を実現する機能（以下、ＢＬＣ機能という場合がある）を備えたメガネをユーザが使用する場合がある。このようなメガネを着用することで眼球に到達するブルーライトを、例えば、１０〜４０％程度削減することができる。以下、ブルーライトをカットする機能を有するメガネをブルーライトカットメガネもしくは、ＢＬＣメガネという場合がある。
【０００６】
また、ＢＬＣ機能を搭載したＰＣや携帯電話機も知られている。例えば、ＰＣにおいては、表示装置の３原色（Ｒｅｄ，Ｇｒｅｅｎ，Ｂｌｕｅ）のうち、青成分を約３０％削減することでＢＬＣ機能を実現する。
【０００７】
これにより、メガネをかけていないユーザと、普段メガネを着用しているユーザとの両方に、面倒さや煩わしさを感じさせることなく、ＢＬＣ機能を提供することが出来る。
【先行技術文献】
【特許文献】
【０００８】
【特許文献１】特開２０１５−２１５４３６号公報
【特許文献２】特開２００６−２４２９０９号公報
【特許文献３】特開２０１４−１６０１７０号公報
【発明の概要】
【発明が解決しようとする課題】
【０００９】
しかしながら、上述の如き従来のＢＬＣ機能を備えたＰＣ等においては、ユーザがＢＬＣメガネをかけている場合にも青成分を約３０％削減するので、結果として青成分が削減されすぎてしまうという課題がある。
【００１０】
なお、従来のＰＣ等においては、ＢＬＣメガネをかけたユーザがＰＣ等を用いる場合に、手動でＢＬＣ機能をオフにすることができるが、ＢＬＣ機能のオフ／オンを手動で設定する操作が煩雑である。
【００１１】
１つの側面では、本発明は、ユーザが第１波長光を低減させるメガネを装着している場合においても、第１波長光の低減を適切に行なうことができるようにすることを目的とする。
【課題を解決するための手段】
【００１２】
このため、この表示制御装置は、第１波長光を照射した状態でのユーザが装着するメガネのレンズ部分の輝度である第１輝度を測定する第１測定部と、第２波長光を照射した状態での前記ユーザが装着するメガネのレンズ部分の輝度である第２輝度を測定する第２測定部と、前記第２輝度に対する前記第１輝度の比に基づいて、前記メガネの第１波長光低減性能値を決定する第１決定部と、前記決定した前記メガネの第１波長光低減性能値を用いて、第１波長光低減制御値を決定する第２決定部と、前記第１波長光低減制御値に応じて、表示部からの出力光に含まれる前記第１波長光を低減させる表示制御部と、を備える。 
【発明の効果】
【００１３】
一実施形態によれば、ユーザが第１波長光を低減させるメガネを装着している場合においても、第１波長光の低減を適切に行なうことができる。
【図面の簡単な説明】
【００１４】
【図１】実施形態の一例としての情報処理装置のハードウェア構成を例示する図である。
【図２】実施形態の一例としての情報処理装置におけるＢＬＣ制御部の機能構成を示す図である。
【図３】実施形態の一例としての情報処理装置におけるＢＬＣ制御部による補正後ＢＬＣ率の算出方法を説明するフローチャートである。
【図４】実施形態の一例としての情報処理装置におけるメガネＢＬＣ率測定部によるメガネＢＬＣ率の測定方法を説明するフローチャートである。
【図５】実施形態の一例としての情報処理装置におけるＢＬＣの入出力特性を例示する図である。
【図６】スマートフォンのハードウェア構成を例示する図である。
【発明を実施するための形態】
【００１５】
以下、図面を参照して本表示制御装置および表示制御プログラムに係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形（実施形態及び各変形例を組み合わせる等）して実施することができる。又、各図は、図中に示す構成要素のみを備えるという趣旨ではなく、他の機能等を含むことができる。
【００１６】
（Ａ）構成
図１は実施形態の一例としての情報処理装置１のハードウェア構成を例示する図である。
【００１７】
情報処理装置１は、例えばＰＣであって、図１に示すように、ＣＰＵ（Central Processing Unit）１０，メモリ１１，記憶装置１２，ディスプレイ１３およびカメラ１４を備える。
【００１８】
記憶装置１２は、ＨＤＤ（Hard disk drive）、ＳＳＤ（Solid State Drive），ＳＣＭ（Storage Class Memory）等の記憶装置であって、種々のデータを格納するものである。
【００１９】
メモリ１１は、ＲＯＭ（Read Only Memory）及びＲＡＭ（Random Access Memory）を含む記憶メモリである。
【００２０】
メモリ１１のＲＯＭには、ＢＬＣ制御に係るソフトウェアプログラム（表示制御プログラム）やこのプログラム用のデータ類が書き込まれている。メモリ１１上のソフトウェアプログラムは、ＣＰＵ１０に適宜読み込まれて実行される。又、メモリ１１のＲＡＭは、一次記憶メモリあるいはワーキングメモリとして利用される。
【００２１】
ディスプレイ１３は、画像を表示する表示装置であって、例えば、液晶ディスプレイやＣＲＴ（Cathode Ray Tube）ディスプレイである。ディスプレイ１３は、ＲＧＢ（Ｒｅｄ，Ｇｒｅｅｎ，Ｂｌｕｅ）カラーモデルに対応しており、赤・緑・青の各色の輝度の組み合わせで様々な色が表現される。
【００２２】
本情報処理装置１は、ディスプレイ１３に対する表示制御を行なう表示制御装置として機能する。
【００２３】
ディスプレイ１３は、図示しないグラフィックボード（ビデオカード）に接続され、このグラフィックボードから入力される映像信号を表示させる。
【００２４】
カメラ１４は、例えば、ＣＣＤ（Charge Coupled Device）イメージセンサやＣＭＯＳ（Complementary Metal Oxide Semiconductor）イメージセンサ等であり、本情報処理装置１の周囲の画像を撮像する。
【００２５】
本実施形態において、カメラ１４は本情報処理装置１を操作するユーザ（以下、単にユーザという）の顔の画像を撮影する。カメラ１４は、ディスプレイ１３に正対した状態のユーザの顔を撮影可能な位置に配置され、例えば、ディスプレイ１３の近傍（例えば上部位置）において、ユーザに正対する位置に取り付けられている。
【００２６】
これにより、ディスプレイ１３からの出力光がユーザの顔に照射される。また、このようにディスプレイ１３からの出力光が照射されたユーザの顔をカメラ１４によって撮影することができる。
【００２７】
ＣＰＵ１０は、種々の制御や演算を行なう処理装置であり、メモリ１１等に格納されたＯＳ（Operating System）やソフトウェアを実行することにより、種々の機能を実現する。なお、複数のＣＰＵ１０を用いてマルチプロセッサを構成してもよい。また、ＣＰＵに代えて、ＭＰＵ（Micro Processing Unit），ＤＳＰ（Digital Signal Processor），ＡＳＩＣ（Application Specific Integrated Circuit），ＰＬＤ（Programmable Logic Device），ＦＰＧＡ（Field Programmable Gate Array）のいずれか一つであってもよい。また、ＣＰＵ，ＭＰＵ，ＤＳＰ，ＡＳＩＣ，ＰＬＤ，ＦＰＧＡのうちの２種類以上の要素の組み合わせであってもよい。
【００２８】
そして、情報処理装置１のＣＰＵ１０が、表示制御プログラムを実行することにより、後述するＢＬＣ制御部１００として機能する。
【００２９】
なお、このＢＬＣ制御部１００としての機能を実現するためのプログラム（表示制御プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、ＣＰＵ１０はその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００３０】
ＢＬＣ制御部１００としての機能を実現する際には、内部記憶装置（本実施形態ではメモリ１１のＲＡＭやＲＯＭ）に格納されたプログラムがコンピュータのマイクロプロセッサ（本実施形態ではＣＰＵ１０）によって実行される。このとき、記録媒体に記録されたプログラムをコンピュータが読み取って実行するようにしてもよい。
【００３１】
図２は実施形態の一例としての情報処理装置１におけるＢＬＣ制御部１００の機能構成を示す図である。
【００３２】
ＢＬＣ制御部１００はＢＬＣ機能を実現する。ＢＬＣ制御部１００は、ディスプレイ１３からの出力光に含まれる、波長が例えば380〜500nmの青色光（ブルーライト，第１波長光，青色成分）を削減するＢＬＣを行なう。ＢＬＣ制御部１００は、ディスプレイ１３から出力されユーザの眼球に到達する光が、予め設定された所定のＢＬＣ率となるように、ディスプレイ１３の表示制御を行なう。
【００３３】
以下、予め設定された所定のＢＬＣ率を目標ＢＬＣ率という場合がある。目標ＢＬＣ率は、ユーザが任意に設定することができる。
【００３４】
本実施形態においては、目標ＢＬＣ率が３０％の例について示す。すなわち、ＢＬＣ制御部１００は、ディスプレイ１３から出力されユーザの眼球に到達する光の青成分が３０％カットされるようにＢＬＣ制御を行なう。
【００３５】
図２に示すように、ＢＬＣ制御部１００は、メガネ判定部１０１，メガネＢＬＣ率測定部１０２，補正後ＢＬＣ率決定部１０３および表示制御部１０４としての機能を備える。
【００３６】
メガネ判定部１０１は、ユーザがメガネを着用しているか否かを判定する。例えば、予め種々のメガネの輪郭形状を参照用情報として記憶装置１２等に記憶（定義）しておく。メガネ判定部１０１は、カメラ１４によって撮影されたユーザの顔画像中において、ユーザの目の周囲に、参照用情報として記憶されたメガネの輪郭形状と類似する形状があるかを判断することで、ユーザがメガネを着用しているかを判断する。
【００３７】
すなわち、メガネ判定部１０１は、ユーザの顔画像における目の周囲に、参照用情報として登録されたメガネの輪郭形状と類似する形状がある場合には、ユーザがメガネを着用していると判断する。一方、ユーザの顔画像における目の周囲に、参照用情報として登録されたメガネの輪郭形状と類似する形状がない場合には、ユーザがメガネを着用していないと判断する。
【００３８】
なお、ユーザがメガネを着用しているか否かの判定方法は、上述した手法に限定されるものではなく、適宜変更して実施することができる。
【００３９】
メガネＢＬＣ率測定部１０２は、ユーザが着用しているメガネのレンズ２０（図１参照）の第１波長光低減性能値（ブルーライトカット性能値）を測定する。本実施形態においては、ブルーライトカット性能をＢＬＣ率で表す。
【００４０】
すなわち、メガネＢＬＣ率測定部１０２は、ユーザが着用しているメガネのレンズ２０のＢＬＣ率を測定する。なお、以下、メガネのレンズ２０のＢＬＣ率を、単にメガネのＢＬＣ率という場合がある。
【００４１】
例えば、メガネＢＬＣ率測定部１０２は、ディスプレイ１３を青色で発光させることで、ディスプレイ１３から青色光を照射する。そして、メガネＢＬＣ率測定部１０２は、このようにユーザに青色光を照射した状態で撮影したユーザの顔画像のメガネのレンズ位置での輝度（輝度Ｂ１という）を測定する。
【００４２】
すなわち、メガネＢＬＣ率測定部１０２は、ディスプレイ１３を第１波長色で発光させることで、第１波長光をユーザに照射する第１照射部として機能する。
【００４３】
また、メガネＢＬＣ率測定部１０２は、第１波長光（青色光）を照射した状態でのユーザが装着するメガネのレンズ部分の輝度である輝度Ｂ１（第１輝度）を測定する第１測定部として機能する。
【００４４】
さらに、メガネＢＬＣ率測定部１０２は、ディスプレイ１３から青以外の色（例えば、赤：第２色）で発光させることで、ディスプレイ１３から青以外の光を照射する。そして、メガネＢＬＣ率測定部１０２は、このようにユーザに赤色光を照射した状態で撮影したユーザの顔画像のメガネのレンズ位置での輝度（輝度Ｒ１という）を測定する。
【００４５】
すなわち、メガネＢＬＣ率測定部１０２は、ディスプレイ１３を第２波長色で発光させることで、第２波長光をユーザに照射する第２照射部として機能する。
【００４６】
また、メガネＢＬＣ率測定部１０２は、青色光以外の第２波長光（例えば赤色光）を照射した状態でのユーザが装着するメガネのレンズ部分の輝度である輝度Ｒ１（第２輝度）を測定する第２測定部として機能する。
【００４７】
そして、メガネＢＬＣ率測定部１０２は、以下の式（１）に示すように、測定したこれらの輝度Ｒ１と輝度Ｂ１との輝度比（ＢＲ輝度比）を算出することで、メガネのＢＬＣ率を算出する。
【００４８】
［メガネのＢＬＣ率（％）］ ＝ ｆ１（Ｂ１／Ｒ１）×１００  ・・・（１）
すなわち、メガネＢＬＣ率測定部１０２は、輝度Ｒ１に対する輝度Ｂ１の比に基づいて、メガネのＢＬＣ率を算出する。
【００４９】
従って、メガネＢＬＣ率測定部１０２は、輝度Ｂ１（第１輝度）および輝度Ｒ１（第２輝度）に基づいて、メガネの第１波長光低減性能値（メガネＢＬＣ率）を決定する第１決定部として機能する。
【００５０】
上記式（１）において、ＢＲ輝度比（Ｂ１／Ｒ１）の値が小さいほどＢＬＣ率が高いレンズであることを示す。なお、上記式（１）において、ｆ１はメガネのＢＬＣ率が単純な比例で近似できない場合を考慮して乗算される変数であり、適宜変更して実施することができる。変数ｆ１は、例えばカット＆トライしてテーブルから求めても良く、種々変形して実施することができる。
【００５１】
また、上記式（１）を用いたメガネのＢＬＣ率の算出方法だけでは、サングラスの様な全色均等に輝度を削減するメガネに対応できない。
【００５２】
そこで、例えばサングラスのように、色と無関係に一様に暗くする（輝度を低下させる）メガネを考慮する場合には、ユーザの顔におけるメガネレンズ２０部分（例えば、頬や額）の輝度Ｆとメガネのレンズ２０部分の輝度Ｒ２との比からメガネのレンズ２０部分の明るさを求めておく。そして、さらに、ＢＲ輝度差比からメガネのレンズ２０のＢＬＣ率を求めてもよい。
【００５３】
ここで、メガネのレンズ２０部分の明るさは、以下に示す式（２）を用いて求めることができる。
【００５４】
［メガネのレンズの明るさ（％）］＝ｆ２（［メガネ部分の輝度Ｒ２］／［メガネ以外（顔）の輝度Ｆ］）×１００  ・・・（２）
上記式（２）において、（Ｒ２／Ｆ）の値が小さいほど明るいレンズであることを示す。なお、上記式（２）において、ｆ２はメガネの明るさが単純な比例で近似できない場合を考慮して乗算される変数であり、適宜変更して実施することができる。変数ｆ２は、例えばカット＆トライしてテーブルから求めても良く、種々変形して実施することができる。
【００５５】
メガネの明るさが暗いほどＢＬＣ率が大きくなり、また、ＢＲ輝度差比が大きいほどＢＬＣ率が大きくなる。メガネのレンズ２０の明るさとＢＲ輝度差比とを入力とし、ＢＬＣ率を出力するための機器や人に合わせたデータベース（テーブル）を備えることで、メガネのＢＬＣ率を決定しても良い。
【００５６】
補正後ＢＬＣ率決定部１０３は、メガネＢＬＣ率測定部１０２によって測定されたＢＬＣ率と目標ＢＬＣ率とに基づいて、ユーザの目に目標ＢＬＣ率の光を到達させるための補正を行なったＢＬＣ率の値（補正後ＢＬＣ率）を決定する。
【００５７】
補正後ＢＬＣ率決定部１０３は、以下の式（３）に示すように、目標ＢＬＣ率からメガネのＢＬＣ率を減算した値を、補正後ＢＬＣ率として決定する。
【００５８】
［補正後ＢＬＣ率］＝［目標ＢＬＣ率］−［メガネのＢＬＣ率］  ・・・（３）
なお、補正後ＢＬＣ率を単純に差し引くのではなく機器の特性や人に合わせた設定を可能にするための補正値テーブルを備えてもよい。
【００５９】
このように、補正後ＢＬＣ率決定部１０３は、メガネＢＬＣ率測定部１０２によって決定されたメガネのメガネＢＬＣ率（第１波長光低減性能値）を用いて、目標ＢＬＣ率（目標第１波長光低減性能）を実現するための補正後ＢＬＣ率（第１波長光低減制御値）を決定する第２決定部として機能する。
【００６０】
また、サングラスのように、色と無関係に一様に暗くする（輝度を低下させる）メガネを考慮する場合には、上記式（３）に代えて、以下に示す式（４）を用いて補正後ＢＬＣ率を決定してもよい。
【００６１】
［補正後ＢＬＣ率］＝［目標ＢＬＣ率］−（１００−［メガネのレンズの明るさ］）＋［メガネのＢＬＣ率］  ・・・（４）
表示制御部１０４は、ディスプレイ１３に画像を表示させるための制御を行なう。表示制御部１０４は、ＢＬＣを行なって画像表示を行なう場合に、補正後ＢＬＣ率決定部１０３によって決定された補正後ＢＬＣ率で青成分を削減させる制御を行なう。これにより、ユーザがＢＬＣ機能を有するメガネを着用している場合においても、ユーザの目に届く光のＢＬＣ率（総ＢＬＣ率）が目標ＢＬＣ率となる。
【００６２】
すなわち、本情報処理装置１においては、ユーザの目に届く光のＢＬＣ率（総ＢＬＣ率）を以下のように表すことができる。
【００６３】
［総ＢＬＣ率］＝［補正後ＢＬＣ率］＋［メガネのＢＬＣ率］＝［目標ＢＬＣ率］
このように、表示制御部１０４は、補正後ＢＬＣ率（第１波長光低減制御値）に応じて、ディスプレイ１３からの出力光に含まれる青色光（第１波長光）を低減させる制御を行なう。
【００６４】
（Ｂ）動作
上述の如く構成された実施形態の一例としての情報処理装置１におけるＢＬＣ制御部１００による補正後ＢＬＣ率の算出方法を、図３に示すフローチャート（ステップＡ１〜Ａ５）に従って説明する。
【００６５】
ステップＡ１において、ＢＬＣ制御部１００はカメラ１４でユーザの顔を撮影して顔画像を取得し、この顔画像を用いて顔認識を行なう。
【００６６】
ステップＡ２において、メガネ判定部１０１が、ユーザがメガネを着用しているかを判定する。
【００６７】
ステップＡ２における確認の結果、ユーザがメガネを着用している場合には（ステップＡ２のＹＥＳルート参照）、ステップＡ３に移行する。ステップＡ３においては、メガネＢＬＣ率測定部１０２が、メガネのレンズ２０のＢＬＣ率を測定する。なお、本処理の詳細については、図４を用いて後述する。
【００６８】
ステップＡ４において、補正後ＢＬＣ率決定部１０３が、メガネＢＬＣ率測定部１０２によって測定されたメガネＢＬＣ率と目標ＢＬＣ率とに基づいて、上記式（３）を用いて補正後ＢＬＣ率を決定する。
【００６９】
なお、決定した補正後ＢＬＣ率は、例えば、記憶装置１２等の所定の記憶領域に格納することが望ましい。
【００７０】
その後、表示制御部１０４が、ディスプレイ１３からの出力光において、青成分を設定された補正後ＢＬＣ率で表示させることで、ディスプレイ１３からの出力光に含まれる青成分を低減させる表示制御を行ない、処理を終了する。
【００７１】
また、ステップＡ２における確認の結果、ユーザがメガネを着用していない場合には（ステップＡ２のＮＯルート参照）、ステップＡ５に移行する。ステップＡ５においては、メガネＢＬＣ率測定部１０２はメガネＢＬＣ率を０に設定する。その後、処理はステップＡ４に移行する。
【００７２】
メガネＢＬＣ率＝０の場合においては、補正後ＢＬＣ率には目標ＢＬＣ率が設定されることになる。
【００７３】
次に、実施形態の一例としての情報処理装置１におけるメガネＢＬＣ率測定部１０２によるメガネＢＬＣ率の測定方法を、図４に示すフローチャート（ステップＢ１〜Ｂ６）に従って説明する。
【００７４】
ステップＢ１において、メガネＢＬＣ率測定部１０２は、ディスプレイ１３全体に青だけを表示させることで（全青表示）、ユーザに青色光を照射する。
【００７５】
ステップＢ２において、メガネＢＬＣ率測定部１０２は、第１波長光（青色光）を照射した状態でのユーザの顔をカメラ１４によって撮影させる。また、メガネＢＬＣ率測定部１０２は、撮影されたユーザの顔画像中における目の位置の輝度（輝度Ｂ１；第１輝度）を測定する。
【００７６】
ステップＢ３において、メガネＢＬＣ率測定部１０２は、ディスプレイ１３全体に青以外の色（本実施形態では赤）だけを表示させることで（全赤表示）、ユーザに赤色光を照射する。
【００７７】
ステップＢ４において、メガネＢＬＣ率測定部１０２は、第２波長光（赤色光）を照射した状態でのユーザの顔をカメラ１４によって撮影させる。また、メガネＢＬＣ率測定部１０２は、撮影されたユーザの顔画像中における目の位置の輝度（輝度Ｒ１；第２輝度）を測定する。
【００７８】
また、メガネＢＬＣ率測定部１０２は、ユーザの顔画像中におけるメガネレンズ２０以外の部分（例えば、頬や額）の輝度（輝度Ｆ）を測定する。
【００７９】
ステップＢ５において、メガネＢＬＣ率測定部１０２は、ＢＲ輝度比（Ｂ１／Ｒ１）を算出する。また、メガネＢＬＣ率測定部１０２は、上述した式（２）を用いて、［メガネのレンズの明るさ］を算出する。
【００８０】
ステップＢ６において、メガネＢＬＣ率測定部１０２は、上述した式（１）を用いて、［メガネのＢＬＣ率］を算出する。
【００８１】
なお、上記処理において、例えば、ステップＢ２およびステップＢ３の処理は、ステップＢ４およびステップＢ５の処理後に行なってもよい。
【００８２】
（Ｃ）効果
このように、実施形態の一例としての情報処理装置１によれば、ＢＬＣ表示を行なう場合に、ユーザがＢＬＣメガネをかけている場合であっても、ユーザの目には目標ＢＬＣ率でＢＬＣが行なわれた画像が届く。
【００８３】
これにより、ＢＬＣ表示を行なう場合に、ユーザがＢＬＣメガネをかけている場合であっても、必要以上にＢＬＣされてしまうことが無く、適切なＢＬＣ量での画面表示を行なうことができる。従って、ユーザの利便性が能向上し、また情報処理装置１の付加価値が向上して訴求効果も高くなる。
【００８４】
図５は実施形態の一例としての情報処理装置１におけるＢＬＣの入出力特性を例示する図である。
【００８５】
この図５においては、目標ＢＬＣ率が３０％である場合において、メガネのＢＬＣ率が１５％の場合に、補正後ＢＬＣ率を１５％とすることで、ユーザの目に届く光のＢＬＣ率（総ＢＬＣ率）を目標ＢＬＣ率の３０％にする例を示している。
【００８６】
本情報処理装置１においては、ディスプレイ１３から出力される光を、目標ＢＬＣ率よりも減少させた補正後ＢＬＣ率でＢＬＣを行なう。これにより、メガネのＢＬＣ率を含むユーザの目に届く光のＢＬＣ率（総ＢＬＣ率）を目標ＢＬＣ率にすることができる。
【００８７】
メガネＢＬＣ率測定部１０２が、ユーザの顔画像のメガネのレンズ位置での輝度Ｂ１，Ｒ１を測定することでメガネのＢＬＣ率を測定することができ、これにより、総ＢＬＣ率を目標ＢＬＣ率に合わせることができる。
【００８８】
また、特別なハードウェア構成を新たに備える必要がなく、情報処理装置１に一般的に搭載されているカメラ１４を利用して本ＢＬＣ制御を実現することができる。これにより、本情報処理装置１の製造コストの上昇を阻止することができ経済的である。
【００８９】
（Ｄ）その他
そして、本発明は上述した実施形態に限定されるものではなく、本発明の趣旨を逸脱しない範囲で種々変形して実施することができる。
【００９０】
例えば、上述した実施形態においては、情報処理装置１がＰＣである例について示したが、これに限定されるものではなく適宜変更して実施することができる。例えば、情報処理装置１が、図６に示すようなスマートフォン１ａであってもよい。
【００９１】
図６はスマートフォン１ａのハードウェア構成を例示する図である。
【００９２】
図６に例示するスマートフォン１ａは、プロセッサ１０ａ，記憶部１２ａ，タッチパネル１３ａ，カメラ１４，無線部１５，アンテナ１６およびオーディオ入出力部１７を備える。
【００９３】
そして、このようなスマートフォン１ａにおいて、タッチパネル１３ａは、タッチセンサー部と表示部とを備え、この表示部がディスプレイ１３としての機能を実現する。
【００９４】
記憶部１２ａの記憶領域の一部がＲＯＭ１１ａ，ＲＡＭ１１ｂとして用いられ、これらのＲＯＭ１１ａ，ＲＡＭ１１ｂが上述したメモリ１１として機能する。また、記憶部１２ａの記憶領域の他の一部が記憶装置１２として機能する。
【００９５】
また、プロセッサ１０ａが、上述したＣＰＵ１０としての機能を実現し、ＢＬＣ制御部１００として機能する。
【００９６】
これらにより、情報処理装置１がスマートフォンであっても、ＰＣと同様にＢＬＣ制御を実現することができる。
【００９７】
また、上述した実施形態において、メガネＢＬＣ率測定部１０２が、青以外の色として赤の光を照射した状態で撮影したユーザの顔画像のメガネのレンズ位置での輝度Ｒ１を測定しているが、これに限定されるものではなく、赤の代わりに緑の光を照射してもよい。
【００９８】
上述した実施形態においては、補正後ＢＬＣ率決定部１０３が式（３）に基づいて補正後ＢＬＣ率を決定した例を示しているが、これに限定されるものではなく、式（４）に基づいて補正後ＢＬＣ率を決定してもよい。
【００９９】
上述した実施形態において、メガネＢＬＣ率測定部１０２は、輝度Ｒ１と輝度Ｂ１との輝度比（ＢＲ輝度比）を算出することで、メガネのＢＬＣ率を算出しているが、これに限定されるものではない。例えば、メガネＢＬＣ率測定部１０２は、輝度Ｒ１と輝度Ｂ１との差（輝度差；ＢＲ輝度差）を算出することで、メガネのＢＬＣ率を算出してもよい。
【０１００】
また、上述した実施形態において、メガネＢＬＣ率測定部１０２が、ディスプレイ１３を青色（第１色）および青以外の色（第２色）で発光させることで、輝度Ｂ１，Ｒ１の測定を行なっているが、これに限定されるものではない。すなわち、青色（第１色）および青以外の色（第２色）で発光する光源を備え、この光源から青色光や青以外の色の光を照射した状態で撮影したユーザの顔画像のメガネのレンズ位置での輝度Ｂ１，Ｒ１を測定してもよい。
【０１０１】
なお、上述した実施形態に関わらず、本実施形態の趣旨を逸脱しない範囲で種々変形して実施することができる。
【０１０２】
また、上述した開示により本実施形態を当業者によって実施・製造することが可能である。
【０１０３】
（Ｅ）付記
【０１０４】
（付記１）
第１波長光を照射した状態でのユーザが装着するメガネのレンズ部分の輝度である第１輝度を測定する第１測定部と、
第２波長光を照射した状態での前記ユーザが装着するメガネのレンズ部分の輝度である第２輝度を測定する第２測定部と、
前記第１輝度および前記第２輝度に基づいて、前記メガネの第１波長光低減性能値を決定する第１決定部と、
前記決定した前記メガネの第１波長光低減性能値を用いて、第１波長光低減制御値を決定する第２決定部と、
前記第１波長光低減制御値に応じて、表示部からの出力光に含まれる前記第１波長光を低減させる表示制御部と
を備えることを特徴とする、表示制御装置。
【０１０５】
（付記２）
前記第１決定部が、前記第２輝度に対する第１輝度の比を算出することで、メガネの第１波長光低減性能値を算出することを特徴とする、付記１記載の表示制御装置。
【０１０６】
（付記３）
前記第２決定部が、所定の目標第１波長光低減性能から前記前記メガネの第１波長光低減性能値減算することで、前記第１波長光低減制御値を算出することを特徴とする、付記１または２記載の表示制御装置。
【０１０７】
（付記４）
前記表示部を前記第１波長色で発光させることで、前記第１波長光を前記ユーザに照射することを特徴とする、付記１〜３のいずれか１項に記載の表示制御装置。
【０１０８】
（付記５）
前記表示部を前記第２波長色で発光させることで、前記第２波長光を前記ユーザに照射することを特徴とする、付記１〜４のいずれか１項に記載の表示制御装置。
【０１０９】
（付記６）
コンピュータに、
第１波長光を照射した状態でのユーザが装着するメガネのレンズ部分の輝度である第１輝度を測定し、
第２波長光を照射した状態での前記ユーザが装着するメガネのレンズ部分の輝度である第２輝度を測定し、
前記第１輝度および前記第２輝度に基づいて、前記メガネの第１波長光低減性能値を決定し、
前記決定した前記メガネの第１波長光低減性能値を用いて、第１波長光低減制御値を決定し、
前記第１波長光低減制御値に応じて、表示部からの出力光に含まれる前記第１波長光を低減させる
処理を実行させるための表示制御プログラム。
【０１１０】
（付記７）
前記第２輝度に対する第１輝度の比を算出することで、メガネの第１波長光低減性能値を算出する
処理を、前記コンピュータに実行させるための、付記６記載の表示制御プログラム。
【０１１１】
（付記８）
所定の目標第１波長光低減性能から前記前記メガネの第１波長光低減性能値を減算することで、前記第１波長光低減制御値を算出させる
処理を、前記コンピュータに実行させるための、付記６または７記載の表示制御プログラム。
【０１１２】
（付記９）
前記表示部を前記第１波長色で発光させることで、前記第１波長光を前記ユーザに照射する
処理を、前記コンピュータに実行させるための付記６〜８のいずれか１項に記載の表示制御プログラム。
【０１１３】
（付記１０）
前記表示部を前記第２波長色で発光させることで、前記第２波長光を前記ユーザに照射する
処理を、前記コンピュータに実行させるための、付記６〜９のいずれか１項に記載の表示制御プログラム。
【符号の説明】
【０１１４】
１    情報処理装置（ＰＣ）
１ａ    情報処理装置（スマートフォン）
１０    ＣＰＵ
１１    メモリ
１２    記憶装置
１３    ディスプレイ
１４    カメラ
２０    レンズ
１００    ＢＬＣ制御部
１０１    メガネ判定部
１０２    メガネＢＬＣ率測定部
１０３    補正後ＢＬＣ率決定部
１０４    表示制御部
【図１】
0006721827.tif 000002
【図２】
0006721827.tif 000003
【図３】
0006721827.tif 000004
【図４】
0006721827.tif 000005
【図５】
0006721827.tif 000006
【図６】
0006721827.tif 000007